(57)【要約】【課題】操作性の低下を抑えつつ小型化を図る。【解決手段】スイッチ装置１は、手動操作される操作ハンドル３と、操作ハンドル３を人体を検知する人体検知センサ５１と、操作ハンドル３が手動操作されたとき、及び人体検知センサ５１が人体を検知したときに照明負荷Ｗ１の制御動作を行う制御回路５３とを備える。スイッチ装置１は、箱状に形成されて制御回路５３を収容する器体２を備える。操作ハンドル３は、板状のハンドル本体３０及びレンズユニット３２を有し、器体２の前方から人体検知センサ５１を覆うように器体２に取り付けられる。人体検知センサ５１は、ハンドル本体３０の窓３０３及びレンズユニット３２のベース部３２０を通して赤外線を検知する。【選択図】        図３
2020129494.tif 000002
【特許請求の範囲】
【請求項１】
手動操作される操作部と、
前記操作部を通して所定の物理量を検知する検知部と、
前記操作部が手動操作されたとき、及び前記検知部の検知する前記物理量が所定の条件に合致したときに負荷の制御動作を行う制御回路と、
箱状に形成されて前記制御回路を収容する器体と、
を備え、
前記操作部は、板状の操作部本体を有し、前記器体の前方から前記操作部本体によって前記検知部を覆うように前記器体に取り付けられ、
前記検知部は、前記操作部本体に設けられた透過部を通して前記物理量を検知する、
スイッチ装置。
【請求項２】
可視光、赤外光及び電波のいずれかの電磁波を検知する前記検知部を一つ以上備える、請求項１記載のスイッチ装置。
【請求項３】
前記検知部は、人体から放射される赤外線を検知することによって検知領域内の人の存在を検知し、
前記制御回路は、前記検知部が人の存在を検知したときに前記物理量が前記所定の条件に合致したと判定して前記制御動作を行う、
請求項２記載のスイッチ装置。
【請求項４】
前記検知部は、可視光を検知し、
前記制御回路は、前記検知部が検知する前記可視光のレベルが所定のしきい値以下であるときに前記物理量が前記所定の条件に合致したと判定して前記制御動作を行う、
請求項２又は３記載のスイッチ装置。
【請求項５】
前記操作部本体の前面に保護層が設けられている、
請求項１〜４のいずれか１項に記載のスイッチ装置。
【請求項６】
前記操作部は、手動操作されたときに前記器体の前面に対して変位する、
請求項１〜５のいずれか１項に記載のスイッチ装置。
【請求項７】
前記操作部は、前記器体の前面と平行する軸を中心に回転する、
請求項６記載のスイッチ装置。
【請求項８】
前記操作部は、前記操作部本体が前記器体の前面に向かう向きの力を受けているときに基準位置から前記器体の前面に近付く向きに回転し、前記操作部本体が前記器体の前面に向かう向きの力を受けなくなると前記器体の前面から離れる向きに回転して前記基準位置に復帰する、
請求項７記載のスイッチ装置。
【請求項９】
前記検知部は、可視光、赤外光及び電波のいずれかの電磁波を検知し、
前記器体の前方から見て、前記検知部が前記電磁波を受波する受波面と前記軸が重なるように、前記操作部が前記器体の前面に配置されている、
請求項７又は８記載のスイッチ装置。
【請求項１０】
前記検知部は、可視光、赤外光及び電波のいずれかの電磁波を検知し、
前記操作部は、前記電磁波を前記検知部に収束させるレンズを有する、
請求項１〜９のいずれか１項に記載のスイッチ装置。
【請求項１１】
前記器体は、取付枠に取り付け可能な取付部を一つ以上有し、
前記取付枠を介して造営面に取り付けられる、
請求項１〜１０のいずれか１項に記載のスイッチ装置。
【請求項１２】
前記制御回路は、前記検知部が人の存在を検知したときに前記負荷である照明負荷を消灯状態から点灯状態に切り替える前記制御動作を行い、前記検知部が人の存在を検知しなくなったときに前記照明負荷を点灯状態から消灯状態に切り替える前記制御動作を行う、
請求項３記載のスイッチ装置。
【請求項１３】
前記制御回路は、前記検知部が人の存在を検知しなくなってから所定の遅延時間が経過するまで前記照明負荷を点灯状態に維持し、かつ、前記所定の遅延時間が経過してから前記照明負荷を点灯状態から消灯状態に切り替える前記制御動作を行う、
請求項１２記載のスイッチ装置。
【請求項１４】
可視光、赤外光及び電波のいずれかの電磁波を検知する前記検知部を一つ以上備え、
前記操作部本体は、前記電磁波に対する透過率が異なる複数の部位を有する、
請求項１〜１３のいずれか１項に記載のスイッチ装置。
【発明の詳細な説明】
【技術分野】
【０００１】
本開示は、スイッチ装置に関し、より詳細には、人による操作とセンサによる物理量の検知に基づいて負荷を制御するスイッチ装置に関する。
【背景技術】
【０００２】
従来例として、特許文献１記載のスイッチ装置（熱線センサ付自動スイッチ）を例示する。特許文献１記載の従来例（以下、従来例と略す。）は、交流電源から照明負荷への給電路に設けられ、給電路を開閉することによって照明負荷の制御（点灯と消灯の切替え）を行う。従来例は、壁面などの造営面に埋め込まれる器体と、器体の前面に回動可能に軸支される操作ハンドルと、熱線を検知する熱線センサと、給電路に挿入される開閉素子と、開閉素子を駆動する回路部とを備えている。なお、熱線センサ、開閉素子及び回路部は器体内に収容されている。
【０００３】
回路部は、操作ハンドルが押操作されたときにオンする操作スイッチを有する。回路部は、操作スイッチがオンされるごとに開閉素子をオンからオフ及びオフからオンに切り替える。さらに、回路部は、熱線センサによって検知領域内の人の存在が検知されると開閉素子をオフからオンに切り替え、熱線センサによって検知領域内の人の存在が検知されなくなると開閉素子をオンからオフに切り替える。
【０００４】
器体は、合成樹脂材料によって直方体状に形成されている。器体の前面における上部に操作ハンドルが配置されている。器体の前面における下部（操作ハンドルの下）にセンサカバーが配置されている。センサカバーは、器体の前面に露出する熱線センサを覆っている。センサカバーは、熱線を透過可能な材料で形成されている。つまり、人体から放射される熱線は、センサカバーを透過して熱線センサで検知される。
【先行技術文献】
【特許文献】
【０００５】
【特許文献１】特開２００８−１０８６３７号公報
【発明の概要】
【発明が解決しようとする課題】
【０００６】
ところで、上記従来例では、手動操作される操作ハンドルとセンサカバーが器体の前面において、器体の長手方向に沿って並べて配置されている。したがって、意匠性等に配慮して器体を小型化する場合、操作ハンドルを小型化してしまうと手動操作の操作性が低下するおそれがある。
【０００７】
本開示の目的は、操作性の低下を抑えつつ小型化を図ることができるスイッチ装置を提供することである。
【課題を解決するための手段】
【０００８】
本開示の一態様に係るスイッチ装置は、手動操作される操作部と、前記操作部を通して所定の物理量を検知する検知部とを備える。前記スイッチ装置は、前記操作部が手動操作されたとき、及び前記検知部の検知する前記物理量が所定の条件に合致したときに負荷の制御動作を行う制御回路と、箱状に形成されて前記制御回路を収容する器体とを備える。前記操作部は、板状の操作部本体を有し、前記器体の前方から前記操作部本体によって前記検知部を覆うように前記器体に取り付けられる。前記検知部は、前記操作部本体に設けられた透過部を通して前記物理量を検知する。
【発明の効果】
【０００９】
本開示のスイッチ装置は、操作性の低下を抑えつつ小型化を図ることができるという効果がある。
【図面の簡単な説明】
【００１０】
【図１】図１は、本開示の実施形態に係るスイッチ装置の回路ブロック図である。
【図２】図２Ａは、同上のスイッチ装置の前面図である。図２Ｂは、同上のスイッチ装置の後面図である。図２Ｃは、同上のスイッチ装置の下面図である。図２Ｄは、同上のスイッチ装置の右側面図である。
【図３】図３は、同上のスイッチ装置の分解斜視図である。
【図４】図４は、同上のスイッチ装置の縦断面図である。
【図５】図５は、同上のスイッチ装置の横断面図である。
【図６】図６は、同上のスイッチ装置の操作ハンドルを後面から見た斜視図である。
【図７】図７は、同上のスイッチ装置のレンズユニットの後面図である。
【図８】図８は、同上のスイッチ装置のレンズユニット及びレンズカバーを省略した前面図である。
【図９】図９は、同上のスイッチ装置を取付枠を利用して壁に取り付けた状態の縦断面図である。
【図１０】図１０は、同上のスイッチ装置の変形例１の回路ブロック図である。
【図１１】図１１Ａは、同上のスイッチ装置の変形例２のオフ位置の操作ハンドルの右側面図である。図１１Ｂは、同上のスイッチ装置の変形例２のオン位置の操作ハンドルの右側面図である。
【図１２】図１２は、同上のスイッチ装置の変形例３の操作ハンドルの右側面図である。
【発明を実施するための形態】
【００１１】
以下、本開示の実施形態に係るスイッチ装置について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
まず、実施形態に係るスイッチ装置１（以下、スイッチ装置１と略す。）の回路構成を説明する。スイッチ装置１は、図１に示すように、第１回路ブロック４と、第２回路ブロック５と、端子台６とを有する。
【００１３】
端子台６は、四つの端子（第１端子６１、第２端子６２、第３端子６３及び第４端子６４）を備える。第１端子６１は、交流電源Ｘ１（例えば、実効値が１００Ｖの単相２線式の交流電源）の正極（HOT側の電極）と電気的に接続される。第２端子６２は、交流電源Ｘ１の負極（COLD側の電極）と電気的に接続される。第３端子６３は、照明負荷Ｗ１（例えば、ＬＥＤ照明器具）の第１電源端子と電気的に接続される。第４端子６４は、照明負荷Ｗ１の第２電源端子と電気的に接続される。なお、第２端子６２と第３端子６３は、導体（例えば、電線）を介して電気的に接続されている。
【００１４】
第１回路ブロック４は、開閉素子４１と、駆動回路４２と、直流電源回路４３とを備える。
【００１５】
直流電源回路４３は、第１端子６１及び第２端子６２を介して交流電源Ｘ１から供給される交流電圧を直流電圧に変換する。直流電源回路４３は、例えば、力率改善回路（昇圧チョッパ回路）と、降圧チョッパ回路とを有し、５〜１５Ｖ程度の直流電圧を出力することが好ましい。直流電源回路４３は、変換後の直流電圧（以下、制御電圧という。）を駆動回路４２及び第２回路ブロック５に供給する。
【００１６】
開閉素子４１は、端子台６の第１端子６１と第４端子６４を電気的に接続する電路上に設けられている。開閉素子４１は、電磁リレー、半導体リレー又は半導体スイッチング素子で構成される。開閉素子４１がオンしているときに第１端子６１と第４端子６４が電路を介して導通する。一方、開閉素子４１がオフしているときに電路が遮断されて第１端子６１と第４端子６４が導通しない。つまり、開閉素子４１がオンしているとき、交流電源Ｘ１、照明負荷Ｗ１、端子台６及び開閉素子４１によって閉回路が形成されて交流電源Ｘ１から照明負荷Ｗ１に交流電力が供給される。一方、開閉素子４１がオフしているとき、交流電源Ｘ１、照明負荷Ｗ１、端子台６及び開閉素子４１によって閉回路が形成されず、交流電源Ｘ１から照明負荷Ｗ１に交流電力が供給されない。
【００１７】
駆動回路４２は、後述する制御回路５３に制御されて開閉素子４１をオン・オフする。
【００１８】
第２回路ブロック５は、人体検知センサ５１、押しボタンスイッチ５２、制御回路５３及び表示ランプ５４を有する。
【００１９】
人体検知センサ５１は、いわゆるパッシブ型の赤外線モーションセンサである。赤外線モーションセンサは、複数の焦電素子を有し、複数の焦電素子で受光する赤外線の変化量に応じて、赤外線を放射する人体を検知する。すなわち、人体検知センサ５１は、検知領域に人体が存在するときに人体検知信号を出力するように構成されている。
【００２０】
押しボタンスイッチ５２は、機械式の常開接点と、外部から力を受けたときに常開接点を閉じる（オンする）押しボタン５２０（図３参照）とを有する。押しボタンスイッチ５２の常開接点に制御電圧が印加される。
【００２１】
表示ランプ５４は、例えば、赤色光を放射するＬＥＤ（Light Emitting Diode）チップと、緑色光を放射するＬＥＤチップを有する。表示ランプ５４は、制御回路５３の制御の元で赤色光及び緑色光を択一的に放射する。
【００２２】
制御回路５３は、マイクロコントローラで構成されている。制御回路５３は、複数の入力ポート及び出力ポートを有する。第１の入力ポートに人体検知センサ５１が電気的に接続され、第２の入力ポートに押しボタンスイッチ５２が電気的に接続されている。つまり、人体検知センサ５１が人体を検知すると、第１の入力ポートにハイレベルの信号（人体検知信号）が入力される。また、押しボタンスイッチ５２がオフしているときは第２の入力ポートの入力電圧がハイレベル（制御電圧）に維持されているが、押しボタンスイッチ５２がオンすると第２の入力ポートの入力電圧がローレベルに変化する。ゆえに、制御回路５３は、第２の入力ポートの入力電圧がハイレベルからローレベルに変化したときに押しボタンスイッチ５２から操作信号が入力されたと判定する。
【００２３】
制御回路５３の第１の出力ポートには駆動回路４２が電気的に接続される。制御回路５３は、第１の出力ポートから制御信号を出力する。駆動回路４２は、制御回路５３から制御信号を受け取ると開閉素子４１を駆動する。
【００２４】
制御回路５３の第２の出力ポートには表示ランプ５４が電気的に接続される。制御回路５３は、第２の出力ポートから駆動信号を出力して表示ランプ５４を発光させる。
【００２５】
制御回路５３の制御動作を更に詳しく説明する。制御回路５３は、開閉素子４１がオフしている状況（照明負荷Ｗ１が消灯している状況）において、第２の入力ポートに操作信号が入力されると、第１の出力ポートから制御信号を出力して駆動回路４２に開閉素子４１をオンさせる。また、制御回路５３は、照明負荷Ｗ１が消灯している状況において、人体検知センサ５１から第１の入力ポートに人体検知信号が入力されると、第１の出力ポートから制御信号を出力して駆動回路４２に開閉素子４１をオンさせる。開閉素子４１がオンすることにより、照明負荷Ｗ１が点灯する。
【００２６】
制御回路５３は、照明負荷Ｗ１が消灯している状況においては、表示ランプ５４から緑色光を放射させることにより、周囲が暗い状況においてもスイッチ装置１の位置を視認しやすくする。また、制御回路５３は、照明負荷Ｗ１が点灯している状況においては、表示ランプ５４から赤色光を放射させることにより、照明負荷Ｗ１が点灯中であることを表示する。
【００２７】
一方、制御回路５３は、照明負荷Ｗ１が点灯している状況において、第２の入力ポートに操作信号が入力されると、第１の出力ポートから制御信号を出力して駆動回路４２に開閉素子４１をオフさせる。また、制御回路５３は、照明負荷Ｗ１が点灯している状況において、人体検知センサ５１から第１の入力ポートに人体検知信号が入力されなくなると、第１の出力ポートから制御信号を出力して駆動回路４２に開閉素子４１をオフさせる。開閉素子４１がオフすることにより、照明負荷Ｗ１が消灯する。
【００２８】
ここで、制御回路５３は、照明負荷Ｗ１の点灯中に人体検知信号の入力が停止した場合、マイクロコントローラに内蔵されたタイマを起動し、タイマの計時時間が所定の遅延時間に達したときに制御信号を出力しても構わない。ただし、制御回路５３は、タイマの計時時間が遅延時間に達する前に第１の入力ポートに人体検知信号が再度入力されれば、タイマを再起動して計時時間をリセットすることが好ましい。さらに、制御回路５３は、タイマの計時時間が遅延時間に達する前に第２の入力ポートに操作信号が入力されると、タイマを停止し、かつ、制御信号を出力して開閉素子４１をオフすることが好ましい。
【００２９】
なお、制御回路５３は、第１の制御動作と第２の制御動作を択一的に選択して実行しても構わない。制御回路５３は、例えば、短時間（例えば、５００ミリ秒）に操作信号が複数回（例えば、２回）入力されたときに第１の制御動作と第２の制御動作を交互に選択することが好ましい。
【００３０】
制御回路５３は、第１の制御動作を実行する場合、人体検知センサ５１の人体検知信号に応じて照明負荷Ｗ１の点灯・消灯を切り替える。また、制御回路５３は、第２の制御動作を実行する場合、人体検知センサ５１の人体検知信号に関係なく、押しボタンスイッチ５２からの操作信号の入力に応じて照明負荷Ｗ１の点灯・消灯を切り替える。
【００３１】
次に、スイッチ装置１の構造について、図２〜図８を参照して詳細に説明する。ただし、以下の説明においては、特に断りのない限り、図３に矢印で示す前後、左右及び上下の各方向をスイッチ装置１の前後、左右及び上下の各方向と定義する。
【００３２】
スイッチ装置１は、第１回路ブロック４、第２回路ブロック５及び端子台６を内部に収容する器体２と、器体２の前面に器体２に対して回転可能に支持される操作ハンドル３とを備える（図３参照）。
【００３３】
器体２は、前面が開放されている箱状のボディ２０と、ボディ２０の前端に取り付けられるカバー２１を有する。
【００３４】
ボディ２０は、合成樹脂材料によって、前面が開放された有底の角筒状に形成されている。ボディ２０の底面（後面）に四つの電線挿入穴２００が設けられている（図２Ｂ参照）。これら四つの電線挿入穴２００は、ボディ２０の底面において上下方向に一列に並んでいる。また、これら四つの電線挿入穴２００は、端子台６の四つの端子穴６６と一対一に対向している（図２Ｂ参照）。端子台６は、ボディ２０内に収容されている。端子台６は、４極のねじ式端子台であり、直方体状の本体６０内に四つのコンタクト（不図示）を収容している（図３参照）。四つの端子穴６６は本体６０の底面（後面）に設けられている。また、本体６０の側面（右側面）には４本の端子ねじ６５が配置されている。端子台６は、各端子穴から挿入される電線の導体を端子ねじ６５とコンタクトで挟むことにより、コンタクトと導体を電気的かつ機械的に接続する。
【００３５】
ボディ２０の後端部分２０１は、ボディ２０の後端部分２０１以外の部分よりも左右方向の幅寸法が狭くなっている（図２Ｂ及び図２Ｃ参照）。後端部分２０１の右側面には、四つの操作穴２０２が上下方向に一列に並ぶように設けられている（図２Ｄ参照）。これら四つの操作穴２０２は、後端部分２０１に収容された端子台６の４本の端子ねじ６５の頭部と一対一に対向している。つまり、端子台６の各端子ねじ６５は、後端部分２０１の各操作穴２０２を通して、ドライバなどの工具によって回転させられる。
【００３６】
また、ボディ２０の左右両側面には放熱用の複数のスリット２０３が形成されている（図２Ｂ、図２Ｄ及び図３参照）。さらに、ボディ２０の上下両側面における前端に三角柱状の突起２０４が設けられている（図３参照）。
【００３７】
第１回路ブロック４は、直角四辺形状の第１回路基板４０を有する。第１回路基板４０の表面４００（右側面）に端子台６、開閉素子４１、直流電源回路４３などが実装されている（図３参照）。第１回路ブロック４は、第１回路基板４０の表面４００をボディ２０の右側面に対向させるようにしてボディ２０内に収容される（図４参照）。
【００３８】
第２回路ブロック５は、八角形状の第２回路基板５０を有する。第２回路基板５０の表面５００（前面）に人体検知センサ５１、押しボタンスイッチ５２、制御回路５３、表示ランプ５４が実装されている（図３参照）。
【００３９】
人体検知センサ５１は、円筒形状のケース５１０を有する（図３参照）。ケース５１０の前面に正方形状の窓５１１が開口している。ただし、窓５１１は、赤外線を透過可能な材料で形成される窓板５１２で塞がれている。ケース５１０内に複数（例えば、四つ）の焦電素子５１３が収容されている（図４及び図５参照）。これら複数の焦電素子５１３は、窓５１１を通してケース５１０内に入射する赤外線を受光する。
【００４０】
人体検知センサ５１は、第２回路基板５０の表面５００の中央に実装されている。押しボタンスイッチ５２は、第２回路基板５０の表面５００の下部に実装されている。表示ランプ５４は、第２回路基板５０の表面５００の上部に実装されている。制御回路５３は、第２回路基板５０の表面５００の人体検知センサ５１と表示ランプ５４の間に実装されている。
【００４１】
第２回路ブロック５は、第２回路基板５０の表面５００を前方に向けるようにしてボディ２０内に収容される。第２回路ブロック５は、ボディ２０内において第１回路ブロック４の前方に配置される（図４参照）。なお、第１回路ブロック４と第２回路ブロック５は、電線又は端子板（図示せず）を介して電気的に接続されている。
【００４２】
カバー２１は、カバー本体２１０、一対の縦片２１１、一対の横片２１２、一対の組立片２１３、立壁２１４を有する（図３参照）。カバー本体２１０は、中央に開口部２１５を有する長方形の枠状に形成されている。
【００４３】
立壁２１４は、八角形の筒状に形成されている。立壁２１４は、カバー本体２１０の前面において、開口部２１５の縁に沿って前方へ突出している。また、立壁２１４の開口部２１５に臨む下面から操作片２１４１が上向きに突出している（図３参照）。操作片２１４１は、前後方向から見てＴ字状に形成されている。操作片２１４１は、立壁２１４との結合部分を支点として、前後方向にたわみ可能となるように立壁２１４に支持されている。なお、操作片２１４１の前面には、円柱状のリブ２１４２が一体に形成されている（図４参照）。
【００４４】
一対の縦片２１１は、カバー本体２１０の左右両端からそれぞれ前方に突出している（図３参照）。各縦片２１１は、上下方向の両端から中央に向かって徐々に幅が広くなっている（図２Ｄ参照）。各縦片２１１の長手方向（上下方向）の中央には円形の軸受穴２１１０が設けられている（図３参照）。なお、立壁２１４において、一対の軸受穴２１１０と対向する部位に凹部２１４０が形成されている。
【００４５】
一対の横片２１２は、カバー本体２１０の上下両端からそれぞれ前方に突出している（図３及び図４参照）。上側の横片２１２の上面から一対の取付爪２１２０が上向きに突出している。下側の横片２１２の下面からも一対の取付爪２１２０が下向きに突出している（図２Ａ及び図３参照）。
【００４６】
一対の組立片２１３は、カバー本体２１０の後面における上下両端から後方に向かって突出している（図２Ｄ及び図３参照）。一対の組立片２１３は、それぞれ四角形状に形成されている（図２Ｃ参照）。各組立片２１３の中央には、厚み方向（左右方向）に貫通する四角形状の組立穴２１３０が設けられている（図２Ｃ及び図３参照）。
【００４７】
カバー２１の上側の組立片２１３の組立穴２１３０に、ボディ２０の上側の突起２０４がはまる。また、カバー２１の下側の組立片２１３の組立穴２１３０に、ボディ２０の下側の突起２０４がはまる。つまり、一対の組立片２１３のそれぞれの組立穴２１３０にボディ２０の一対の突起２０４が一つずつはまることによって、ボディ２０とカバー２１結合されて器体２が構成されている（図２Ｃ及び図４参照）。なお、器体２の前面において、カバー２１の開口部２１５から第２回路ブロック５の表面５００が露出している。また、カバー２１のリブ２１４２の後面と、第２回路ブロック５の押しボタンスイッチ５２の押しボタン５２０が前後方向に沿って対向（又は接触）している（図４参照）。
【００４８】
操作ハンドル３は、ハンドル本体３０と、ハンドルカバー３１と、レンズユニット３２と、操作体３３とを有する（図３参照）。
【００４９】
ハンドル本体３０は、枠部３００、第１前壁３０１、第２前壁３０２、補強バー３０４、一対の突片３０５及び一対の軸３０６を有する（図３参照）。
【００５０】
枠部３００は、一対の縦壁３００１と一対の横壁３００２を有して角すい台状に形成されている。ただし、枠部３００は、赤外線の透過率及び可視光の透過率（全光線透過率）がほぼゼロである合成樹脂材料で形成されることが好ましい。
【００５１】
第１前壁３０１及び第２前壁３０２は、それぞれ枠部３００の前面に設けられている。第１前壁３０１は、枠部３００の前面において、上側の横壁３００２から一対の縦壁３００１の上下方向の中央よりも上の位置までを覆っている。第２前壁３０２は、枠部３００の前面において、下側の横壁３００２から一対の縦壁３００１の上下方向の中央よりも下の位置までを覆っている。ただし、第２前壁３０２の上下方向の長さは、第１前壁３０１の上下方向の長さのおよそ半分である。しかして、枠部３００の前面には、第１前壁３０１の下縁、第２前壁３０２の上縁及び一対の縦壁３００１の前縁に囲まれた四辺形状の窓３０３が開口している（図３及び図８参照）。なお、第２前壁３０２の後面から円筒状の保持部３０２０が突出している（図４及び図６参照）。
【００５２】
第１前壁３０１及び第２前壁３０２は、赤外線の透過率がほぼゼロであり、かつ、全光線透過率が数十％（例えば、７０％）以上である合成樹脂材料で形成されることが好ましい。
【００５３】
補強バー３０４は、棒状に形成され、一対の縦壁３００１の前面に架け渡されている。また、補強バー３０４は、前方から見て枠部３００の窓３０３を上下方向に二等分する位置に配置されている（図８参照）。
【００５４】
一対の突片３０５は、半長円形の板状に形成されている（図３及び図６参照）。各突片３０５は、各縦壁３００１の上下方向の中央から後方へ突出している。右側の突片３０５の右側面から円柱状の軸３０６が右方向に突出している。また、左側の突片３０５の左側面から円柱状の軸３０６が左方向に突出している。
【００５５】
なお、補強バー３０４、一対の突片３０５及び一対の軸３０６は、枠部３００と同様に、赤外線の透過率及び全光線透過率がほぼゼロである合成樹脂材料で形成されることが好ましい。
【００５６】
操作体３３は、コイルばねで構成されている。操作体３３の長手方向（コイルばねの軸方向）の一端（前端）がハンドル本体３０の保持部３０２０にはめ込まれて保持される（４参照）。
【００５７】
レンズユニット３２は、ベース部３２０及び複数のレンズ３２１を有する。ベース部３２０は、長方形の板状に形成されている。ただし、ベース部３２０の後面の周縁には、後方に突出する周壁３２２が一体に形成されている（図４参照）。
【００５８】
ベース部３２０の後面に、複数（図示例では１０個）のレンズ３２１が一体に形成されている（図４〜図７参照）。ただし、以下の説明では、１０個のレンズ３２１を第１〜第５のレンズ３２１Ａ〜３２１Ｅ及び第６〜第１０のレンズ３２１Ｆ〜３２１Ｊと呼ぶ場合がある。
【００５９】
第１〜第５のレンズ３２１Ａ〜３２１Ｅは、左右方向に一列に並んでいる。中央の第３のレンズ３２１Ｃは、フレネルレンズの一部分である（図７参照）。第１のレンズ３２１Ａ、第２のレンズ３２１Ｂ、第４のレンズ３２１Ｄ及び第５のレンズ３２１Ｅは、長径及び短径が異なるだ円状の複数の溝が入れ子状に配置されて擬似的なフレネルレンズを形成している。第１〜第５のレンズ３２１Ａ〜３２１Ｅは、前方から入射する赤外光を第３のレンズ３２１Ｃの後方の焦点に集光するように構成されている。
【００６０】
第６〜第１０のレンズ３２１Ｆ〜３２１Ｊは、第１〜第５のレンズ３２１Ａ〜３２１Ｅの下に左右方向に一列に並んでいる。中央の第８のレンズ３２１Ｈは、フレネルレンズの一部分である（図７参照）。第６のレンズ３２１Ｆ、第７のレンズ３２１Ｇ、第９のレンズ３２１Ｉ及び第１０のレンズ３２１Ｊは、長径及び短径が異なる複数の半だ円状又は４分の１のだ円状の溝が入れ子状に配置されて擬似的なフレネルレンズを形成している。第６〜第１０のレンズ３２１Ｆ〜３２１Ｊは、前方から入射する赤外光を第３のレンズ３２１Ｃの焦点に集光するように構成されている。
【００６１】
なお、ベース部３２０と１０個のレンズ３２１と周壁３２２は、赤外線の透過率及び全光線透過率がそれぞれ数十％（例えば、８０％）以上である合成樹脂材料で形成されることが好ましい。ただし、レンズ３２１を形成する合成樹脂材料の赤外線の透過率が数十％（例えば、８０％）以上であれば、ベース部３２０を形成する合成樹脂材料の赤外線の透過率が数％以下であっても構わない。
【００６２】
レンズユニット３２は、複数のレンズ３２１を窓３０３に挿入するようにしてハンドル本体３０の前面に取り付けられる（図３〜図６参照）。なお、周壁３２２の上下両端の後面に、それぞれ円柱状の突部３２３がそれぞれ設けられている（図７）。これらの突部３２３は、枠部３００の一対の横壁３００２の前面に設けられた凹部３００３（図３参照）にはめ込まれる。しかして、レンズユニット３２は、複数の突部３２３のそれぞれが複数の凹部３００３に一つずつはめ込まれることによって、ハンドル本体３０の枠部３００に位置決めされる。
【００６３】
窓３０３に対して、第１〜第５のレンズ３２１Ａ〜３２１Ｅは補強バー３０４の上方に挿入され、第６〜第１０のレンズ３２１Ｆ〜３２１Ｊは補強バー３０４の下方に挿入される（図８参照）。補強バー３０４は、ベース部３２０の後面における第１〜第５のレンズ３２１Ａ〜３２１Ｅと第６〜第１０のレンズ３２１Ｆ〜３２１Ｊの間の部位に接触している（図４参照）。つまり、操作ハンドル３が人の手又は指で押されたときのレンズ３２１の変形（たわみ）を補強バー３０４によって抑制することができる。
【００６４】
ハンドルカバー３１は、長方形の板状に形成されている（図３参照）。ハンドルカバー３１は、レンズユニット３２の前面に取り付けられる（図４参照）。ハンドルカバー３１は、レンズユニット３２の前面に汚れが付着すること、及びレンズユニット３２の前面に傷が付くことなどを防いでいる。なお、ハンドルカバー３１は、赤外線の透過率が数十％（例えば、９０％）以上、かつ、全光線透過率が数十％（例えば、３０％）以下の合成樹脂材料（例えば、ポリオレフィン系の樹脂材料）で形成されることが好ましい。
【００６５】
操作ハンドル３は、カバー２１の一対の軸受穴２１１０にハンドル本体３０の一対の軸３０６が一つずつはめ込まれることによって器体２の前面を覆うように器体２に取り付けられる（図４〜図６参照）。操作ハンドル３は、一対の軸３０６を支点として回転可能である。ただし、操作体３３の長手方向（コイルばねの軸方向）の他端（後端）にカバー２１のリブ２１４２がはめ込まれている（図４参照）。したがって、操作ハンドル３は、操作体３３のばね力によってハンドル本体３０の下部を器体２の前面から離す向きに押され、ハンドル本体３０の上部（上側の横壁３００２）がカバー２１の上側の横片２１２に当たる位置（基準位置）で静止する（図４参照）。
【００６６】
操作ハンドル３の下部が後ろ向きに押されると、ハンドル本体３０の下部を器体２の前面に近付ける向きに操作ハンドル３が回転（正回転）する。操作ハンドル３の回転に伴い、カバー２１の操作片２１４１が操作体３３のばね力を受けて後ろ向きにたわむ。操作片２１４１が後ろ向きにたわむことにより、押しボタンスイッチ５２の押しボタン５２０が操作片２１４１に押されて押しボタンスイッチ５２がオンする。そして、操作ハンドル３の下部が押されなくなると、操作体３３のばね力で操作ハンドル３が回転（逆回転）して基準位置に復帰し、操作片２１４１も元の状態に戻ることで押しボタンスイッチ５２がオフする。
【００６７】
また、前方から見て操作ハンドル３のハンドル本体３０の窓３０３の内側に人体検知センサ５１が存在している（図８参照）。ゆえに、人体検知センサ５１は、ハンドルカバー３１及びハンドル本体３０の窓３０３を通して、人体から放射される赤外線を受光して当該人体を検知することができる。
【００６８】
したがって、スイッチ装置１は、人体検知センサ５１を操作ハンドル３の後ろに隠すことにより、操作ハンドル３と人体検知センサ５１を上下方向又は左右方向に並べる場合に比べて、操作ハンドル３の大きさを変えずに小型化を図ることができる。その結果、スイッチ装置１は、（操作ハンドル３の）操作性の低下を抑えつつ小型化を図ることができる。
【００６９】
ここで、操作ハンドル３が基準位置に静止しているとき、第３のレンズ３２１Ｃと人体検知センサ５１のケース５１０の窓５１１が左右方向及び上下方向において重なっている（図８参照）。さらに、操作ハンドル３が基準位置に静止しているとき、第３のレンズ３２１Ｃの焦点は、前後方向において人体検知センサ５１の受光面（窓板５１２の前面）とほぼ一致する（図４参照）。したがって、検知領域内に存在する人体から放射される赤外線を複数のレンズ３２１によって人体検知センサ５１の窓５１１に集光（収束）させることができる。その結果、スイッチ装置１は、人体検知センサ５１の検知領域の拡大を図ることができる。
【００７０】
また、スイッチ装置１では、ハンドル本体３０の第１前壁３０１及び第２前壁３０２によって不要な赤外線を遮蔽することにより、人体検知センサ５１の誤検知の発生を抑制することができる。特に、スイッチ装置１では、人体検知センサ５１の受光面（窓５１１）を、ハンドル本体３０の窓３０３の上下方向の中央位置（補強バー３０４の位置）よりも上に配置している（図８参照）。そのため、スイッチ装置１では、例えば、照明器具の照明光に含まれる赤外線が人体検知センサ５１の受光面に入射しにくくなるので、人体検知センサ５１の誤検知の発生を更に抑制することができる。
【００７１】
さらに、スイッチ装置１では、複数のレンズ３２１のそれぞれと一対一に対応した複数の検知範囲によって検知領域を形成することにより、人体の僅かな動きを人体検知センサ５１で検知することができる。その結果、スイッチ装置１は、検知領域内に滞在する人（人体）を検知しない可能性を低下させることができる。
【００７２】
ここで、ハンドルカバー３１を形成する合成樹脂材料の全光線透過率が数十％以下であるので、操作ハンドル３越しに人体検知センサ５１が透けて見えにくい。その結果、スイッチ装置１は、操作ハンドル３越しに人体検知センサ５１が透けて見えることによる外観品質の低下を抑制することができる。
【００７３】
ところで、スイッチ装置１は、取付枠７を利用して造営材（例えば、壁材８）に設けられる埋込穴８０に埋め込むように配置される（図９参照）。取付枠７は、合成樹脂材料により、中央に窓穴７０を有する長方形の枠状に形成されている。取付枠７は、窓穴７０を挟んで対向する一対の側片７１を有する。一対の側片７１のそれぞれに、器体２の複数（四つ）の取付爪２１２０がそれぞれ一つずつはめ込まれる取付穴７２が設けられている。
【００７４】
しかして、四つの取付爪２１２０のそれぞれが四つの取付穴７２に一つずつはめ込まれることにより、器体２を窓穴７０に挿通した状態でスイッチ装置１が取付枠７に取り付けられる（図９参照）。そして、器体２の一部を埋込穴８０に埋め込んだ状態で取付枠７が壁材８の表面に固定（ねじ止め）されることにより、スイッチ装置１が造営面（壁面）に埋め込まれて配置される。
【００７５】
なお、スイッチ装置１において、人体検知センサ５１はパッシブ型の赤外線モーションセンサに限定されない。例えば、人体検知センサ５１は、ミリ波帯の電波を利用するアクティブ型の電波センサであっても構わない。
【００７６】
次に、スイッチ装置１の幾つかの変形例について図面を参照して説明する。ただし、以下に説明する変形例のスイッチ装置１は、上述した実施形態のスイッチ装置１と基本的な構成が共通している。したがって、実施形態のスイッチ装置１と共通する構成要素には同一の符号を付すことにより、図示並びに説明を省略する。
【００７７】
まず、変形例１のスイッチ装置１を説明する。変形例１のスイッチ装置１は、図１０に示すように、人体検知センサ５１と明るさセンサ５５の二つの検知部を備えている。
【００７８】
明るさセンサ５５は、フォトダイオード又はフォトトランジスタなどの受光素子によって可視光を電気量（例えば、電流）に変換することにより、受光素子の受光光量（明るさ）を検知する。明るさセンサ５５の出力（出力電流）は、電流・電圧変換器（不図示）によって電圧（検出電圧）に変換されて制御回路５３の入力ポート（第３の入力ポート）に入力される。
【００７９】
制御回路５３は、第３の入力ポートに入力する検出電圧を所定のしきい値と比較する。検出電圧がしきい値以上の場合、制御回路５３は、第１の入力ポートに人体検知信号が入力されても制御動作を行わない。検出電圧がしきい値未満の場合、制御回路５３は、第１の入力ポートに人体検知信号が入力されると制御動作を行う。つまり、制御回路５３は、検出電圧がしきい値以上の場合は照明負荷Ｗ１を点灯する必要がないと判断し、人体検知信号の入力を無視して制御動作を行わない。一方、検出電圧がしきい値未満の場合、制御回路５３は、人体検知信号が入力されると照明負荷Ｗ１を消灯状態から点灯状態に切り替える。ただし、変形例１のスイッチ装置１は、人体検知センサ５１を備えずに明るさセンサ５５のみを備えてもよい。なお、明るさセンサ５５は、第２回路ブロック５の第２回路基板５０の表面５００に実装されることが好ましい。
【００８０】
上述のように変形例１のスイッチ装置１は、明るさセンサ５５の検出する明るさが照明負荷Ｗ１の照明を必要としない場合に照明負荷Ｗ１を無駄に点灯させないことで省エネルギ化を図ることができる。
【００８１】
続いて、変形例２のスイッチ装置１を説明する。変形例２のスイッチ装置１では、操作ハンドル３がオフ位置（図１１Ａ参照）とオン位置（図１１Ｂ参照）の二つの位置の間で回転可能である。操作ハンドル３は、オフ位置で手動操作されるとオン位置まで回転し、オン位置で手動操作されるとオフ位置まで回転する。
【００８２】
操作ハンドル３と器体２の前面の間に、２本の反転ばね１０（図示は１本のみ）と２枚の反転板１１（図示は１枚のみ）が配置されている（図１１Ａ及び図１１Ｂ参照）。各反転板１１は、器体２に設けられたＶ字状の溝２０５に収められる。各反転ばね１０は、それぞれコイルばねからなる。各反転ばね１０の軸方向の一端（前端）がハンドル本体３０に固定される。各反転ばね１０の軸方向の他端（後端）が反転板１１の前端に引っ掛けられる。各反転ばね１０のばね力によって各反転板１１の後端が溝２０５の底２０６に押し当てられる。なお、各反転板１１は、底２０６に当たっている後端を支点として上下方向に回転可能である。
【００８３】
しかして、操作ハンドル３がオフ位置にあるとき、ハンドル本体３０の枠部３００の上部（上側の横壁３００２）が器体２の前面に当たることによって操作ハンドル３がオフ位置で静止する（図１１Ａ参照）。オフ位置の操作ハンドル３が押し操作されると、反転ばね１０を圧縮しながら操作ハンドル３が回転する。そして、操作ハンドル３の回転に伴って反転板１１も回転し、ハンドル本体３０の枠部３００の下部（下側の横壁３００２）が器体２の前面に当たることによって操作ハンドル３がオン位置で静止する（図１１Ｂ参照）。
【００８４】
上述のように変形例２のスイッチ装置１では、操作ハンドル３がオン位置にあるとき、制御回路５３が人体検知センサ５１の人体検知信号を無視して照明負荷Ｗ１を点灯状態に維持することができる。一方、操作ハンドル３がオフ位置にあるとき、変形例２のスイッチ装置１では、制御回路５３が人体検知センサ５１の人体検知信号に応じて照明負荷Ｗ１を点滅させることができる。
【００８５】
最後に、変形例３のスイッチ装置１を説明する。変形例３のスイッチ装置１は、器体２の前面に対して操作ハンドル３が前後方向に平行移動するように構成されている。
【００８６】
操作ハンドル３の上下両端と器体２の前面の間に、それぞれ少なくとも１本の復帰ばね１２が配置されている（図１２参照）。復帰ばね１２はコイルばねからなる。復帰ばね１２の軸方向の一端（前端）がハンドル本体３０に固定される。復帰ばね１２の軸方向の他端（後端）が器体２の前面に固定される。なお、カバー２１の軸受穴２１１０は、前後方向を長手方向とする長円形状に形成されている。
【００８７】
操作ハンドル３は、復帰ばね１２のばね力によって器体２の前面から離れる方向（前方向）に押されており、軸３０６が軸受穴２１１０の前端に当たる位置（基準位置）で静止する（図１２参照）。操作ハンドル３が押し操作されると、復帰ばね１２を圧縮しながら操作ハンドル３が後方へ移動し、操作体３３及び操作片２１４１（いずれも不図示）を介して押しボタンスイッチ５２がオンする。そして、操作ハンドル３が押し操作されなくなると、復帰ばね１２のばね力によって操作ハンドル３が基準位置に復帰する。
【００８８】
上述のように変形例３のスイッチ装置１では、操作ハンドル３を押しボタンのように操作することができる。なお、操作ハンドル３は、器体２の前面と平行にスライド操作されるように構成されてもよい。あるいは、操作ハンドル３は、器体２の前面に垂直な軸を中心に回転操作されるように構成されてもよい。また、操作ハンドル３の表面にタッチスイッチが設けられ、当該タッチスイッチに対するタッチ操作によって制御回路５３が開閉素子４１をオン・オフさせてもよい。なお、人体検知センサが小型化された場合には、操作ハンドル３に人体検知センサを内蔵することも可能になると考えられるが、実施形態において例示した人体検知センサ５１を操作ハンドル３に内蔵することはできない。
【００８９】
上述のように第１の態様に係るスイッチ装置（１）は、手動操作される操作部（操作ハンドル３）と、操作部を通して所定の物理量を検知する検知部（人体検知センサ５１；明るさセンサ５５）とを備える。第１の態様に係るスイッチ装置（１）は、操作部が手動操作されたとき、及び検知部の検知する物理量が所定の条件に合致したときに負荷（照明負荷Ｗ１）の制御動作を行う制御回路（５３）と、箱状に形成されて制御回路を収容する器体（２）とを備える。操作部は、板状の操作部本体（ハンドル本体３０の第１前壁３０１、第２前壁３０２及びレンズユニット３２のベース部３２０）を有し、器体（２）の前方から操作部本体によって検知部を覆うように器体（２）に取り付けられる。検知部は、操作部本体に設けられた透過部（ハンドル本体３０の窓３０３及びレンズユニット３２のベース部３２０）を通して物理量を検知する。
【００９０】
第１の態様に係るスイッチ装置（１）は、検知部を操作部本体の後ろに隠すことにより、操作部と検知部を前後方向と交差する方向に並べる場合に比べて、操作部の大きさを変えずに小型化を図ることができる。その結果、第１の態様に係るスイッチ装置（１）は、（操作部の）操作性の低下を抑えつつ小型化を図ることができる。
【００９１】
第２の態様に係るスイッチ装置（１）は、第１の態様との組合せにより実現され得る。第２の態様に係るスイッチ装置（１）において、可視光、赤外光及び電波のいずれかの電磁波を検知する検知部を一つ以上備えることが好ましい。
【００９２】
第２の態様に係るスイッチ装置（１）は、検知部に電磁波を検知させることにより、周囲の明るさ、人の存否などに応じた制御動作を制御回路（５３）に行わせることができる。
【００９３】
第３の態様に係るスイッチ装置（１）は、第２の態様との組合せにより実現され得る。第３の態様に係るスイッチ装置（１）において、検知部は、人体から放射される赤外線を検知することによって検知領域内の人の存在を検知することが好ましい。制御回路（５３）は、検知部が人の存在を検知したときに物理量が所定の条件に合致したと判定して制御動作を行うことが好ましい。
【００９４】
第３の態様に係るスイッチ装置（１）は、検知領域内における人の存否に応じた制御動作を制御回路（５３）に行わせることにより、負荷（例えば、照明負荷）の無駄な電力消費を抑えて省エネルギ化を図ることができる。
【００９５】
第４の態様に係るスイッチ装置（１）は、第２又は第３の態様との組合せにより実現され得る。第４の態様に係るスイッチ装置（１）において、検知部は、可視光を検知することが好ましい。制御回路（５３）は、検知部が検知する可視光のレベルが所定のしきい値以下であるときに物理量が所定の条件に合致したと判定して制御動作を行うことが好ましい。
【００９６】
第４の態様に係るスイッチ装置（１）は、例えば、可視光のレベル（周囲の明るさ）に応じて制御回路（５３）に照明負荷の点滅を制御させることにより、無駄な電力消費を抑えて省エネルギ化を図ることができる。
【００９７】
第５の態様に係るスイッチ装置（１）は、第１〜第４の態様のいずれかとの組合せにより実現され得る。第５の態様に係るスイッチ装置（１）において、操作部本体の前面に保護層（ハンドルカバー３１）が設けられていることが好ましい。
【００９８】
第５の態様に係るスイッチ装置（１）は、保護層によって操作部本体の前面に汚れが付着すること及び傷が付くことなどを防ぐことができる。
【００９９】
第６の態様に係るスイッチ装置（１）は、第１〜第５の態様のいずれかとの組合せにより実現され得る。第６の態様に係るスイッチ装置（１）において、操作部は、手動操作されたときに器体（２）の前面に対して変位することが好ましい。
【０１００】
第６の態様に係るスイッチ装置（１）は、操作部の変位に応じて制御回路（５３）に操作部の手動操作を検出させることができる。
【０１０１】
第７の態様に係るスイッチ装置（１）は、第６の態様との組合せにより実現され得る。第７の態様に係るスイッチ装置（１）において、操作部は、器体（２）の前面と平行する軸（３０６）を中心に回転することが好ましい。
【０１０２】
第７の態様に係るスイッチ装置（１）は、操作部を回転させて制御回路（５３）に操作部の手動操作を検出させることができる。
【０１０３】
第８の態様に係るスイッチ装置（１）は、第７の態様との組合せにより実現され得る。第８の態様に係るスイッチ装置（１）において、操作部は、操作部本体が器体（２）の前面に向かう向きの力を受けているときに基準位置から器体（２）の前面に近付く向きに回転することが好ましい。さらに、操作部は、操作部本体が器体（２）の前面に向かう向きの力を受けなくなると器体（２）の前面から離れる向きに回転して基準位置に復帰することが好ましい。
【０１０４】
第８の態様に係るスイッチ装置（１）は、手動操作されるときを除いて操作部が常に基準位置にあるので、検知部と操作部本体の位置関係を一定に保つことができる。
【０１０５】
第９の態様に係るスイッチ装置（１）は、第７又は第８の態様との組合せにより実現され得る。第９の態様に係るスイッチ装置（１）において、検知部は、可視光、赤外光及び電波のいずれかの電磁波を検知することが好ましい。操作部は、器体（２）の前方から見て、電磁波を受波する検知部の受波面と軸（３０６）が重なるように、操作部が器体（２）の前面に配置されていることが好ましい。
【０１０６】
第９の態様に係るスイッチ装置（１）は、操作部が回転して変位したときに操作部と検知部の受波面との位置関係の変化を抑えて検知部の検知性能の低下を抑制することができる。
【０１０７】
第１０の態様に係るスイッチ装置（１）は、第１〜第９の態様のいずれかとの組合せにより実現され得る。第１０の態様に係るスイッチ装置（１）において、検知部は、可視光、赤外光及び電波のいずれかの電磁波を検知することが好ましい。操作部は、電磁波を検知部に収束させるレンズ（３２１）を有することが好ましい。
【０１０８】
第１０の態様に係るスイッチ装置（１）は、レンズ（３２１）によって検知部の検知領域の拡大を図ることができる。
【０１０９】
第１１の態様に係るスイッチ装置（１）は、第１〜第１０の態様のいずれかとの組合せにより実現され得る。第１１の態様に係るスイッチ装置（１）において、器体（２）は、取付枠（７）に取り付け可能な取付部（取付爪２１２０）を一つ以上有し、取付枠（７）を介して造営面に取り付けられることが好ましい。
【０１１０】
第１１の態様に係るスイッチ装置（１）は、取付枠（７）を利用して造営面に容易に取り付けることができる。
【０１１１】
第１２の態様に係るスイッチ装置（１）は、第３の態様との組合せにより実現され得る。第１２の態様に係るスイッチ装置（１）において、制御回路（５３）は、検知部が人の存在を検知したときに負荷である照明負荷（Ｗ１）を消灯状態から点灯状態に切り替える御動作を行うことが好ましい。制御回路（５３）において、検知部が人の存在を検知しなくなったときに照明負荷を点灯状態から消灯状態に切り替える前記制御動作を行う。
【０１１２】
第１２の態様に係るスイッチ装置（１）は、検知領域内における人の存否に応じた制御動作を制御回路（５３）に行わせることにより、照明負荷の無駄な電力消費を抑えて省エネルギ化を図ることができる。
【０１１３】
第１３の態様に係るスイッチ装置（１）は、第１２の態様との組合せにより実現され得る。第１３の態様に係るスイッチ装置（１）において、制御回路（５３）は、検知部が人の存在を検知しなくなってから所定の遅延時間が経過するまで照明負荷を点灯状態に維持することが好ましい。制御回路（５３）は、所定の遅延時間が経過してから照明負荷を点灯状態から消灯状態に切り替える制御動作を行うことが好ましい。
【０１１４】
第１３の態様に係るスイッチ装置（１）は、検知部が人の動きを検知する場合において、検知部が静止している人の存在を検知しなくなっても遅延時間が経過するまでは照明負荷を消灯しないことにより、利便性の向上を図ることができる。
【０１１５】
第１４の態様に係るスイッチ装置（１）は、第１〜第１３の態様のいずれかとの組合せにより実現され得る。第１４の態様に係るスイッチ装置（１）は、可視光、赤外光及び電波のいずれかの電磁波を検知する検知部を一つ以上備えることが好ましい。操作部本体は、電磁波に対する透過率が異なる複数の部位（第１前壁３０１、第２前壁３０２、ハンドルカバー３１）を有することが好ましい。
【０１１６】
第１４の態様に係るスイッチ装置（１）は、操作部本体で不要な電磁波をカットすることにより、検知部における誤検知の抑制を図ることができる。
【符号の説明】
【０１１７】
１  スイッチ装置
２  器体
３  操作ハンドル（操作部）
７  取付枠
３０  ハンドル本体
３１  ハンドルカバー（保護層）
３２  レンズユニット
５１  人体検知センサ（検知部）
５３  制御回路
５５  明るさセンサ（検知部）
３０１  第１前壁（操作部本体）
３０２  第２前壁（操作部本体）
３０３  窓（透過部）
３０６  軸
３２０  ベース部（操作部本体；透過部）
３２１  レンズ
２１２０  取付爪（取付部）
Ｗ１  照明負荷（負荷）
【図１】
2020129494.tif 000003
【図２】
2020129494.tif 000004
【図３】
2020129494.tif 000005
【図４】
2020129494.tif 000006
【図５】
2020129494.tif 000007
【図６】
2020129494.tif 000008
【図７】
2020129494.tif 000009
【図８】
2020129494.tif 000010
【図９】
2020129494.tif 000011
【図１０】
2020129494.tif 000012
【図１１】
2020129494.tif 000013
【図１２】
2020129494.tif 000014